(57)【要約】【課題】再生する楽曲の関連情報を表示する。【解決手段】再生装置１０の読込部１１は、楽曲記録媒体４０から楽曲データとそれに対応する属性情報を読み込む。ＣＰＵ１５は、読込部１１が読み込んだ楽曲データを再生部１２にスピーカ１８で再生させる。それとともに、ＣＰＵ１５は通信制御部１６に、読込部１１が読み込んだ属性情報と関連する情報を、楽曲データベース３０から取得させる。そして、取得させた関連情報を表示制御部１７に表示部２０で表示させる。【選択図】図１
2007226880.tif 000002
【特許請求の範囲】
【請求項１】
コンテンツを読み込む読込手段と、
前記読込手段が読み込んだコンテンツを再生する再生手段と、
前記再生手段で再生中のコンテンツの属性情報に含まれるアーティスト名が一致せず、かつ、他の所定の属性情報が一致するコンテンツの情報を記憶装置から取得する情報取得手段と、
前記情報取得手段が取得したコンテンツの情報を表示部に表示させる表示制御手段と、
を備えることを特徴とする再生装置。
【請求項２】
属性情報を選択させるための選択手段をさらに備え、
前記所定の属性情報は、前記選択手段により選択され、
前記情報取得手段は、前記読込手段が読み込んだ再生中のコンテンツの属性情報に含まれるアーティスト名が一致せず、かつ、前記選択手段により選択された属性情報が一致するコンテンツの情報を記憶装置から取得する、
ことを特徴とする請求項１に記載の再生装置。
【請求項３】
前記表示制御手段が表示部に表示させた表示情報から、コンテンツを選択するためのコンテンツ選択手段と、
前記コンテンツ選択手段により選択されたコンテンツをネットワークを介して取得するコンテンツ取得手段と、
をさらに備えることを特徴とする請求項１又は２に記載の再生装置。
【請求項４】
コンテンツを読み込む読込ステップと、
前記読込ステップで読み込んだコンテンツを再生する再生ステップと、
前記再生ステップで再生中のコンテンツの属性情報に含まれるアーティスト名が一致せず、かつ、他の所定の属性情報が一致するコンテンツの情報を検索するステップと、
を備えることを特徴とする検索方法。
【請求項５】
コンピュータを、
コンテンツを読み込む読込手段、
前記読込手段が読み込んだコンテンツを再生する再生手段、
前記再生手段で再生中のコンテンツの属性情報に含まれるアーティスト名が一致せず、かつ、他の所定の属性情報が一致するコンテンツの情報を記憶装置から取得する情報取得手段、
前記情報取得手段が取得したコンテンツの情報を表示部に表示させる表示制御手段、
として機能させることを特徴とするコンピュータプログラム。
【発明の詳細な説明】
【技術分野】
【０００１】
本発明は、再生中の楽曲と関連のある楽曲情報を表示する再生装置、検索方法、及び、コンピュータプログラムに関する。
【背景技術】
【０００２】
従来、音楽ＣＤ（Compact Disc）やＭＤ（Mini Disc）など楽曲記録媒体の音楽を再生中に、楽曲記録媒体に予め付された曲名や演奏者名などの情報を液晶表示部等で表示することができた。
【０００３】
また、音楽ＣＤなどの楽曲記録媒体に含まれる音楽を演奏中に、演奏中の曲について、曲名や演奏者名などのその曲に付されたデータを取得し、その付されたデータをキーワードとして、インターネットや予めコンピュータ内に蓄積された音楽情報を検索し、演奏中の曲に関する情報を画面に表示する技術が開示されている（例えば、特許文献１）。
【０００４】
しかし、特許文献１の技術では、演奏中の演奏者についての情報しか表示することができなかった。
ユーザが自ら再生させる音楽の演奏者についての情報はユーザ自身が知っていることも多く、音楽ＣＤに添付された歌詞カード等から知得することもできるため、有効な情報を表示することにならない場合が多かった。
【特許文献１】特開２０００−２９８９７８号公報
【発明の開示】
【発明が解決しようとする課題】
【０００５】
本発明は、上記実情に鑑みてなされたもので、再生する楽曲について有効な関連情報を表示する再生装置、検索方法、及び、コンピュータプログラムを提供することを目的とする。
【課題を解決するための手段】
【０００６】
上記目的を達成するため、本発明の第１の観点に係る再生装置は、コンテンツを読み込む読込手段と、前記読込手段が読み込んだコンテンツを再生する再生手段と、前記再生手段で再生中のコンテンツの属性情報に含まれるアーティスト名が一致せず、かつ、他の所定の属性情報が一致するコンテンツの情報を記憶装置から取得する情報取得手段と、前記情報取得手段が取得したコンテンツの情報を表示部に表示させる表示制御手段と、を備えることを特徴とする。
【０００７】
例えば、属性情報を選択させるための選択手段をさらに備え、前記所定の属性情報は、前記選択手段により選択され、前記情報取得手段は、前記読込手段が読み込んだ再生中のコンテンツの属性情報に含まれるアーティスト名が一致せず、かつ、前記選択手段により選択された属性情報が一致するコンテンツの情報を記憶装置から取得してもよい。
【０００８】
例えば、前記表示制御手段が表示部に表示させた表示情報から、コンテンツを選択するためのコンテンツ選択手段と、前記コンテンツ選択手段により選択されたコンテンツをネットワークを介して取得するコンテンツ取得手段と、をさらに備えてもよい。
【０００９】
本発明の第２の観点に係る検索方法は、コンテンツを読み込む読込ステップと、前記読込ステップで読み込んだコンテンツを再生する再生ステップと、前記再生ステップで再生中のコンテンツの属性情報に含まれるアーティスト名が一致せず、かつ、他の所定の属性情報が一致するコンテンツの情報を検索するステップと、を備えることを特徴とする。
【００１０】
本発明の第３の観点に係るコンピュータプログラムは、コンピュータを、コンテンツを読み込む読込手段、前記読込手段が読み込んだコンテンツを再生する再生手段、前記再生手段で再生中のコンテンツの属性情報に含まれるアーティスト名が一致せず、かつ、他の所定の属性情報が一致するコンテンツの情報を記憶装置から取得する情報取得手段、前記情報取得手段が取得したコンテンツの情報を表示部に表示させる表示制御手段、として機能させることを特徴とする。
【発明の効果】
【００１１】
本発明によれば、再生するコンテンツと関連する他のアーティストの情報を表示することができる。これにより、大量の楽曲の中に埋もれた楽曲情報を提供することができると共に、再生するコンテンツに類似し、かつ、ユーザが知らなかったアーティストのコンテンツの情報を知ることができる。
【発明を実施するための最良の形態】
【００１２】
本発明の実施形態に係る再生装置１０は、図１に示すように、読込部１１と、再生部１２と、ＲＯＭ（Read Only Memory）１３と、ＲＡＭ（Random Access Memory）１４と、ＣＰＵ（Central Processing Unit）１５と、通信制御部１６と、表示制御部１７と、スピーカ１８と、から構成される。
再生装置１０は、表示部２０と楽曲データベース３０とに接続される。
【００１３】
読込部１１は、楽曲記録媒体４０を挿入できるように構成される。読込部１１は、楽曲記録媒体４０から楽曲データＤ１とそれに対応する属性情報Ｄ２とを読み込む。楽曲記録媒体４０は、図５（ｂ）に示すように、楽曲データＤ１と属性情報Ｄ２とを対応付けて記録している。より詳細には、図５（ｃ）に示すように、楽曲記録媒体４０には、楽曲数（トラック数）分の楽曲データＤ１と属性情報Ｄ２（タイトル、アーティスト名、ジャンル、アルバム名、制作年度）とを記録する。    
【００１４】
再生部１２は、ＣＰＵ１５の制御のもと、楽曲記録媒体４０から読込部１１が読み込んだ楽曲データＤ１を再生し、スピーカ１８で出力する。
また、再生部１２は、新たな楽曲の再生を開始するとＲＡＭ１４の再生フラグをセットする。
【００１５】
ＲＯＭ１３は、ＣＰＵ１５の動作を制御するためのプログラムを記憶する。
【００１６】
ＲＡＭ１４は、ＣＰＵ１５のワークエリアとして機能する。また、ＲＡＭ１４は、後述する再生フラグを記憶する。
【００１７】
ＣＰＵ１５は、読込部１１が楽曲記録媒体４０から読み込んだ楽曲データＤ１を、再生部１２で再生させる。
ＣＰＵ１５は、再生部１２で新たな楽曲の再生を開始させるたびに、ＲＡＭ１４の再生フラグをセットする。
ＣＰＵ１５は、ＲＯＭ１３に記憶されたプログラムを実行することで、通信制御部１６と表示制御部１７とを制御し、演奏中の楽曲に関連する情報を表示部２０に表示させる。
【００１８】
通信制御部１６は、楽曲データベース３０と接続される。通信制御部１６は、ＣＰＵ１５の制御のもと、アーティスト名と検索条件とを設定され、設定されたアーティスト名と一致せず、かつ、検索条件に一致する関連データを楽曲データベース３０から検索し、取得する。
【００１９】
表示制御部１７は、表示部２０と接続される。表示制御部１７は、ＣＰＵ１５の制御のもと、通信制御部１６が取得した関連データを表示部２０で、リスト表示させる。本実施例では、図４に示すように、同じジャンルで同じ年代の楽曲名とアーティスト名とのリストを表示する。
【００２０】
表示部２０は、再生装置１０からの出力データを表示する装置である。
【００２１】
楽曲データベース３０は、図５（ａ）に示すように、楽曲に対して楽曲名、アーティスト、制作年度、アルバム名、ジャンルなどの関連した情報を、各種対応付けて格納するデータベースである。
【００２２】
以下、上記構成の再生装置１０の動作を、図面を参照しながら説明する。
【００２３】
先ず、再生装置１０が楽曲記録媒体４０に記録された楽曲を再生する動作を説明する。読込部１１に楽曲記録媒体４０が挿入されると、ＣＰＵ１５は、図２に示す、楽曲再生処理を実行する。
【００２４】
最初に、ＣＰＵ１５は、読込部１１に楽曲記録媒体４０から、先頭トラックの楽曲データＤ１を読み込ませる（ステップＳ１）。
【００２５】
ＣＰＵ１５は、読込部１１に楽曲データＤ１を読み込ませるとＲＡＭ１４の再生フラグをセットする（ステップＳ２）。
【００２６】
続いて、ＣＰＵ１５は、読込部１１に読み込ませた楽曲データＤ１を再生部１２で再生させる（ステップＳ３）。
【００２７】
最初のトラックの再生が終了すると、ＣＰＵ１５は、楽曲記録媒体４０に、続くトラックの楽曲データＤ１が存在するか否かを判別する（ステップＳ４）。
【００２８】
楽曲記録媒体４０に続くトラックの楽曲データＤ１が存在する場合（ステップＳ４；Ｙｅｓ）、ＣＰＵ１５は、読込部１１に続くトラックの楽曲データＤ１を読み込ませる（ステップＳ５）。
【００２９】
読込部１１に続くトラックの楽曲データＤ１を読み込ませると、再生フラグを再びセットし、該楽曲データＤ１を再生させるためステップＳ２に処理を戻す。
【００３０】
楽曲記録媒体４０に続くトラックの楽曲データＤ１が存在しない場合（ステップＳ４；Ｎｏ）、楽曲再生処理を終了する。
【００３１】
以上のように、ＣＰＵ１５は、楽曲記録媒体４０に記録された楽曲データＤ１を、先頭トラックから順番に再生する。また、ＣＰＵ１５は、新たなトラックの楽曲データを再生するたびに、再生フラグをセットする。
【００３２】
次に、再生装置１０が、再生中の楽曲の関連情報を表示する動作を説明する。
【００３３】
楽曲再生中に再生装置１０は、定期的な割り込み処理で、図３に示す関連情報表示処理を実行する。
【００３４】
まず、ＣＰＵ１５は、ＲＡＭ１４を参照して、再生フラグがセットされているか否かを判別する（ステップＳ１１）。
【００３５】
再生フラグがセットされている場合（ステップＳ１１；Ｙｅｓ）、新たな楽曲が再生されている場合である。
この場合、再生する楽曲の関連情報を表示するために、ＣＰＵ１５は、読込部１１を制御して、再生部１２で再生中のトラックの属性情報Ｄ２を読み込ませて、通信制御部１６に該属性情報Ｄ２のアーティスト名を設定する（ステップＳ１２）。
【００３６】
続いて、ＣＰＵ１５は、読込部１１を制御して、再生中のトラックの属性情報Ｄ２を読み込ませて、通信制御部１６の検索条件に、該属性情報Ｄ２のジャンルと年代とを設定する（ステップＳ１３）。
【００３７】
そして、ＣＰＵ１５は、通信制御部１６を制御して、設定したアーティスト名とアーティスト名が異なり、かつ、検索条件のジャンルと年代とのそれぞれに一致する楽曲データを楽曲データベース３０から検索させる（ステップＳ１４）。
【００３８】
そして、ＣＰＵ１５は、通信制御部１６から検索結果を取得する（ステップＳ１５）。
【００３９】
さらに、ＣＰＵ１５は、表示制御部１７を制御して、ステップＳ１５で取得した検索結果を表示させる（ステップＳ１６）。即ち、再生中の楽曲とアーティスト名が異なり、かつ、再生中の楽曲と同じジャンルで同じ年代の楽曲一覧を、関連情報として、図４に示すように、表示部２０に表示させる。
【００４０】
なお、表示制御部１７は、新たな表示の制御がされるまで表示した関連情報を表示し続ける。
【００４１】
ステップＳ１６で関連情報を表示させると、ＣＰＵ１５は、再生フラグをリセットする（ステップＳ１７）。そして、関連情報表示処理を終了する。
【００４２】
なお、再生フラグがセットされていない場合（ステップＳ１１；Ｎｏ）、関連情報は既に表示済みである。この場合は、関連情報表示処理を終了する。
【００４３】
以上の動作より、再生中の楽曲とアーティスト名が異なる、同じジャンルの同じ年代の楽曲を表示部２０に表示することができる。
【００４４】
これにより、大量の楽曲の中に埋もれた楽曲情報を提供することができる。
【００４５】
なお、この発明は上記実施の形態に限定されず、種々の変形及び応用が可能である。
【００４６】
例えば、図６に示すように、通信制御部１６を楽曲データベース３０の代わりにインターネット５０に接続して、インターネット５０から再生中の楽曲の関連情報を取得し、表示するようにしてもよい。
また、楽曲データＤ１及びその属性情報Ｄ２は楽曲記録媒体４０から取得することに限らず、インターネット５０から取得して再生部１２で再生するようにしてもよい。
【００４７】
また、図７に示すように、再生装置１０に楽曲データＤ１及びその属性情報Ｄ２を記録する楽曲記録部６０を内蔵する構成にしてもよい。
【００４８】
また、楽曲記録媒体４０や楽曲記録部６０が楽曲データＤ１に対応する属性情報Ｄ２を含まない場合、その属性情報Ｄ２を楽曲データベース３０やインターネット５０から取得するようにしてもよい。
【００４９】
また、図８に示すように、再生装置１０に操作部１９をさらに設けて、表示制御部１７は、図９（ａ）に示すような画面を表示部２０に表示させて、表示対象と検索条件とを操作部１９により指定できるような構成にしてもよい。
【００５０】
また、上記の実施形態では、再生中の楽曲の関連情報として同じジャンルの楽曲と、同じ年代の楽曲と、を表示していたがこれに限るものではない。
例えば、図９（ｂ）に示すように、表示対象として楽曲一覧、アルバム一覧、楽曲とアルバムの一覧、アーティスト名一覧、表示しない、等を指定でき、検索条件としてジャンルが同一なもの、かつ／又は、制作年度が同一なものを指定したり、ジャンル又は制作年度のどちらか一方のみを指定することができる。
【００５１】
また、検索条件は、ジャンルや年代に限定されず、アルバムや楽曲の制作年、発表年、またはそれらの範囲指定であったり、使用楽器、アーティスト以外の演奏者名、アーティストの国籍、作曲者、作詞者、プロデューサ名、楽曲名やアルバム名や歌詞からのキーワードなどの各種関連情報や、それらの組み合わせであってもよい。
【００５２】
また、図４に示すような、表示結果から操作部１９によりタイトルを選択して、インターネット５０から、楽曲を購入できるようにしてもよい。
【００５３】
また、上記実施の形態では、ＣＰＵ１５が実行するプログラムは、ＲＯＭ１３に記憶されていたが、任意の記憶媒体に予め記憶したり、ネットワークを介して任意の記憶媒体に記憶するようにしてもよい。また、上記プログラムを記憶したコンピュータを再生装置１０として機能させるようにしてもよい。
【図面の簡単な説明】
【００５４】
【図１】本発明の実施形態に係る再生装置の構成を説明するためのブロック図である。
【図２】楽曲再生処理の動作を説明するためのフローチャートである。
【図３】関連情報表示処理の動作を説明するためのフローチャートである。
【図４】検索結果表示の例を示す図である。
【図５】（ａ）楽曲データベースの記憶内容を示す図である。（ｂ）楽曲記録媒体の記録内容を示す図である。（ｃ）楽曲記録媒体の記録内容の詳細を示す図である。
【図６】再生装置の第１の変形例の構成を説明するためのブロック図である。
【図７】再生装置の第２の変形例の構成を説明するためのブロック図である。
【図８】再生装置の第３の変形例の構成を説明するためのブロック図である。
【図９】（ａ）表示対象と検索条件とを指定する画面の例である。（ｂ）（ａ）の画面における選択項目の例である。
【符号の説明】
【００５５】
１０  再生装置
１１  読込部
１２  再生部
１３  ＲＯＭ
１４  ＲＡＭ
１５  ＣＰＵ
１６  通信制御部
１７  表示制御部
１８  スピーカ
１９  操作部
２０  表示部
３０  楽曲データベース
４０  楽曲記録媒体
５０  インターネット
６０  楽曲記録部
【図１】
2007226880.tif 000003
【図２】
2007226880.tif 000004
【図３】
2007226880.tif 000005
【図４】
2007226880.tif 000006
【図５】
2007226880.tif 000007
【図６】
2007226880.tif 000008
【図７】
2007226880.tif 000009
【図８】
2007226880.tif 000010
【図９】
2007226880.tif 000011